(57)【要約】【課題】装柱部材と腕金取付部材との両取付装置を設けつつ、軽量化された配電機器を提供する。【解決手段】配電機器としての開閉器１は、開閉器１本体の上面１ｂに取り付けられ、電柱上の腕金に吊下げ可能な腕金取付部材２と、開閉器１本体の電柱に取り付けられた際に電柱側となる面である背面１ｃに取り付けられ、電柱１４に装着可能な装柱部材７とが備えられる。開閉器１は、腕金取付部材２の開閉器１の背面側端部と、装柱部材７の開閉器１の上側端部とが連結された一体構造である。このため、電柱に開閉器１を取り付ける場合に開閉器１の背面と上面との二箇所で開閉器１を支持することができる。【選択図】図４
2009112118.tif 000002
【特許請求の範囲】
【請求項１】
配電機器本体の上面に取り付けられ、電柱上の腕金に吊下げ可能な腕金取付部材と、
配電機器本体の電柱に取り付けられた際に電柱側となる面である背面に取り付けられ、電柱に装着可能な装柱部材とが備えられた配電機器において、
前記腕金取付部材の配電機器の背面側端部と、前記装柱部材の配電機器の上側端部とが連結された一体構造である
ことを特徴とする配電機器。
【請求項２】
請求項１に記載の配電機器において、
前記装柱部材の上側端部は、配電機器本体の上面よりも上方へ延出し、
前記腕金取付部材の背面側端部は、配電機器本体の背面側へ延出し、
前記装柱部材の上方において前記腕金取付部材と前記装柱部材とが連結される
ことを特徴とする配電機器。
【請求項３】
請求項１又は２に記載の配電機器において、
電柱に固定された電柱取付部材の掛止部に掛止する掛止部材を前記装柱部材の上側端部に固定する
ことを特徴とする配電機器。
【請求項４】
請求項３に記載の配電機器において、
配電機器を吊り上げる際に吊り上げられる吊部が前記腕金取付部材に設けられ、
前記吊部により吊り上げられた際、配電機器本体の背面側が背面側と対向する面である正面側よりも下がった状態に傾斜する
ことを特徴とする配電機器。
【請求項５】
請求項４に記載の配電機器において、
前記吊部の中心は配電機器の重心より配電機器の前記正面側へ偏移する
ことを特徴とする配電機器。
【請求項６】
請求項５に記載の配電機器において、
前記吊部の中心は配電機器の前記正面側から見て、配電機器の重心の鉛直上方に位置する
ことを特徴とする配電機器。
【請求項７】
請求項１〜６のいずれか一項に記載の配電機器において、
前記腕金取付部材は、両側部に起伏可能に軸支された一対の吊下げボルトを設け、
前記吊部と、一対の同吊下げボルトを軸支する軸部と、同吊部及び同軸部を接続する接続部とが一体形成されてなる吊部材を備える
ことを特徴とする配電機器。
【発明の詳細な説明】
【技術分野】
【０００１】
この発明は、開閉器等の配電機器を電柱と電柱上の腕金とに取り付け可能な配電機器の取付装置に関する。
【背景技術】
【０００２】
開閉器等の配電機器には、電柱に取り付けられる際に用いる装柱部材と、電柱上の腕金に取り付けられる際に用いる腕金取付部材との両取付装置を設けたものがある。装柱部材は、通常配電機器の電柱と対向する面（背面）に固定されており、腕金取付部材は、通常配電機器の上面に固定されている。これら装柱部材と腕金取付部材とは、設置場所の状況に応じて選択されるため、それぞれが配電機器の重量を支持できるように配電機器本体と溶接固定又はボルト固定されている（例えば、特許文献１参照。）。
【特許文献１】特開平８−６５８６５号公報
【発明の開示】
【発明が解決しようとする課題】
【０００３】
しかしながら、特に上記の配電機器の装柱部材は、配電機器の背面のみ又は背面と上面における背面側の一部、すなわち配電機器の背面側の一部分とで配電機器を片持ち支持している。このため、配電機器の背面側部分に配電機器の荷重が大きく掛かることとなる。そのため、強度を持たせるために配電機器の板厚や装柱部材の肉厚を厚くする必要があり、装柱部材を含めた配電機器の重量が重くなる要因となっていた。
【０００４】
一方で、上記のような配電機器の取り付け作業等においては、配電機器の重量の軽い方が運搬や作業が容易となるため、作業者からは配電機器の軽量化が求められていた。
この発明は、こうした実情に鑑みてなされたものであり、その目的は、装柱部材と腕金取付部材との両取付装置を設けつつ、軽量化された配電機器を提供することにある。
【課題を解決するための手段】
【０００５】
以下、上記目的を達成するための手段及びその作用効果について説明する。
請求項１に記載の発明は、配電機器本体の上面に取り付けられ、電柱上の腕金に吊下げ可能な腕金取付部材と、配電機器本体の電柱に取り付けられた際に電柱側となる面である背面に取り付けられ、電柱に装着可能な装柱部材とが備えられた配電機器において、前記腕金取付部材の配電機器の背面側端部と、前記装柱部材の配電機器の上側端部とが連結された一体構造であることをその要旨としている。
【０００６】
同構成によれば、腕金取付部材の配電機器の背面側端部と、装柱部材の配電機器の上側端部とが連結された一体構造であるため、電柱に配電機器を取り付ける場合に配電機器の背面と上面との二箇所で配電機器を支持することができる。このため、装柱部材が配電機器の背面のみ、又は背面と上面における背面側の一部とで配電機器を支持することと比較して、開閉器の背面部分や装柱部材に掛かる荷重を抑制することができ、配電機器の板厚や装柱部材の肉厚を薄くすることができる。その結果、配電機器自体や装柱部材の重量を軽くすることができ、ひいては配電機器全体を軽量化することができる。
【０００７】
請求項２に記載の発明は、請求項１に記載の配電機器において、前記装柱部材の上側端部は、配電機器本体の上面よりも上方へ延出し、前記腕金取付部材の背面側端部は、配電機器本体の背面側へ延出し、前記装柱部材の上方において前記腕金取付部材と前記装柱部材とが連結されることをその要旨としている。
【０００８】
同構成によれば、装柱部材の上側端部が配電機器本体の上面よりも上方へ延出するため、配電機器を電柱に取り付けた際に、電柱と装柱部材との接触面積が従来の配電機器よりも増える。よって、従来の配電機器よりも取り付けた際に安定させることができる。また、装柱部材の上側端部が配電機器本体の上面よりも上方へ延出するため、電柱に配電機器を取り付ける場合に装柱部材が配電機器本体に隠れず、作業者が目視することができる。このため、取り付け作業時等に配電機器の電柱への取り付け状態を確認することができる。
【０００９】
腕金取付部材の背面側端部が配電機器本体の背面側へ延出するため、配電機器を腕金に取り付けた際に、配電機器と腕金との接触面積が従来の配電機器よりも増える。よって、従来の配電機器よりも取り付けた際に安定させることができる。
【００１０】
装柱部材の上側端部が配電機器本体の上面よりも上方へ延出するとともに、腕金取付部材の背面側端部は、配電機器本体の背面側へ延出し、装柱部材の上方において腕金取付部材と装柱部材とが連結するようにしたため、装柱部材を用いて開閉器を電柱に取り付けた際に掛かる荷重を装柱部材だけでなく、腕金取付部材にも分担することができ、開閉器の背面部分や装柱部材に掛かる荷重を減らすことができる。
【００１１】
請求項３に記載の発明は、請求項１又は２に記載の配電機器において、電柱に固定された電柱取付部材の掛止部に掛止する掛止部材を前記装柱部材の上側端部に固定することをその要旨としている。
【００１２】
同構成によれば、電柱に固定された電柱取付部材の掛止部に掛止する掛止部材が装柱部材の上側端部に固定されるため、電柱に開閉器を取り付ける場合、すなわち、装柱部材を電柱取付部材に取り付ける場合に掛止部材が電柱側に最も近い状態となり、装柱部材の掛止部材が配電機器本体に隠れず、電柱取付部材の掛止部への掛止状況を確認しながら作業することができ、取り付け作業時等に配電機器の電柱への取り付けが容易となる。また、電柱取付部材の掛止部としての凹部に掛止部材を掛止すると開閉器本体の自重により装柱部材の下側が電柱取付部材に当接し、配電機器が安定して電柱に装着される。
【００１３】
請求項４に記載の発明は、請求項３に記載の配電機器において、配電機器を吊り上げる際に吊り上げられる吊部が前記腕金取付部材に設けられ、前記吊部により吊り上げられた際、配電機器本体の背面側が背面側と対向する面である正面側よりも下がった状態に傾斜することをその要旨としている。
【００１４】
同構成によれば、電柱に配電機器を取り付ける場合、すなわち、装柱部材を電柱取付部材に取り付ける場合に掛止部材が電柱側に最も近い状態となり、電柱に取り付けられた電柱取付部材の掛止部に容易に取り付けられる。また、装柱部材の掛止部材を電柱取付部材の掛止部への掛止状況を確認しながら作業することができるため、取り付け作業時に配電機器の電柱への取り付けが容易になる。また、装柱部材の掛止部材を電柱取付部材の掛止部へ掛止した際、装柱部材及び電柱取付部材の下端部は当接しないため、装柱部材の掛止部材を電柱取付部材の掛止部へ掛止した時、装柱部材、電柱取付部材、及び配電機器を損傷することがない。
【００１５】
請求項５に記載の発明は、請求項４に記載の配電機器において、前記吊部の中心は配電機器の重心より前記正面側へ偏移することをその要旨としている。
同構成によれば、吊部の中心が配電機器本体の重心より正面側へ偏移するため、吊部を吊り上げると配電機器本体は背面側が正面側より下がった状態となるため、配電機器を電柱に取り付ける際に、装柱部材の掛止部材が電柱側に最も近い状態となり、電柱に取り付けられた電柱取付部材の掛止部に容易に取り付けられる。
【００１６】
請求項６に記載の発明は、請求項５に記載の配電機器において、前記吊部の中心は配電機器の前記正面側から見て、配電機器の重心の鉛直上方に位置することをその要旨としている。
【００１７】
同構成によれば、吊部の中心が配電機器の正面側から見て、配電機器の重心の鉛直上方に位置するため、配電機器の左右方向、すなわち配電機器の正面に対して垂直方向となるブッシングが突設された両側面に傾くことを抑制することができ、配電機器を容易に取り付けることができる。
【００１８】
請求項７に記載の発明は、請求項１〜６のいずれか一項に記載の配電機器において、前記腕金取付部材は、両側部に起伏可能に軸支された一対の吊下げボルトを設け、前記吊部と、一対の同吊下げボルトを軸支する軸部と、同吊部及び同軸部を接続する接続部とが一体形成されてなる吊部材を備えることをその要旨としている。
【００１９】
同構成によれば、腕金取付部材は、吊部と、一対の吊下げボルトを軸支する軸部と、吊部及び軸部を接続する接続部とが一体に形成されてなる吊部材を備えるため、吊部と軸部とを別部材で設ける必要がない。よって、部品点数を少なくすることができる。また、吊部材は軸部により起伏可能に軸支されるため、使用しない際には倒しておくことができ、小型化することができる。
【発明の効果】
【００２０】
本発明によれば、装柱部材と腕金取付部材との両取付装置を設けた配電機器を軽量化することができる。
【発明を実施するための最良の形態】
【００２１】
以下、本発明にかかる配電機器を開閉器に具体化した一実施形態について図１〜図４を参照して説明する。なお、図１及び図３は、開閉器を電柱上の腕金に取り付けた状態を示している。
【００２２】
図１に示されるように、開閉器１の内部には図示しない固定電極と可動電極とが備えられるとともに、開閉器１の正面１ａには前記固定電極に対して前記可動電極を接離させるべく操作される操作ハンドル１０が設けられている。操作ハンドル１０には、開閉器１の正面１ａ下部に表記された前記可動電極の接離状態を示す「入」、「切」表示を指す下方に突出した指針が設けられている。開閉器１の操作ハンドル１０が設けられている正面１ａに対して垂直方向の両側面１ｄ，１ｅには、ブッシング１１，１２がそれぞれ突設されている。
【００２３】
図２に示されるように、開閉器１本体の上面１ｂには、同開閉器１をクレーン等により吊り上げられる際に用いるとともに、電柱上の腕金に取り付けられる際に用いる腕金取付部材２が上面１ｂに沿って配置されて、開閉器１本体に取り付けられた４本のボルト２７と４つのナット２８とにより開閉器１本体に固定されている。
【００２４】
図４に示されるように、腕金取付部材２は、開閉器１の上面１ｂに固定された本体取付部材２０、吊部材３２、本体取付部材２０に回動可能に軸支される２本の吊下げボルト２２、両吊下げボルト２２の間に架設される板状の支え部材２３、円筒状のスペーサ２５、座金２４ａ、ナット２４を備えている。右側の吊下げボルト２２の支え部材２３とスペーサ２５との間には、固定金具２９が取り付けられている。
【００２５】
本体取付部材２０は、両側部としての両側壁２０ａが長方形板材の両端部が上方へ折り曲げられることにより形成され、両側壁２０ａに軸受孔２０ｂがそれぞれ形成されている。本体取付部材２０の上面において前端寄りの部位には、電柱上の腕金を保持する凹部２０ｄが形成された前側腕金保持部材２０ｃが立設されている。本体取付部材２０の前端には、前方、すなわち正面１ａ側へ延出した規制片２０ｅが形成されている。規制片２０ｅは、吊下げボルト２２を前側へ吊部材３２の軸部３１を中心として回動させた際に支え部材２３若しくは吊下げボルト２２が当接し、回動を規制する。
【００２６】
図３に示されるように、本体取付部材２０の上面１ｂにおいて後端寄りの部位には、電柱上の腕金１５を保持する凹部２０ｇが形成された後側腕金保持部材２０ｆが立設されている。なお、後側腕金保持部材２０ｆは、腕金取付部材２の開閉器１の背面側端部を構成している。腕金取付部材２の背面側端部は、後述する装柱部材７の背面と同じ位置まで延出して形成されている。すなわち、腕金取付部材２の開閉器１の背面側端部は、開閉器１本体の正面１ａの反対側にあたる開閉器１本体の電柱に取り付けられた際に電柱側となる面である背面１ｃよりも後方へ延出して形成されている。
【００２７】
左側の吊下げボルト２２と右側の吊下げボルト２２との間には、支え部材２３が両吊下げボルト２２に沿って上下動可能に架設されている。支え部材２３には、左側の吊下げボルト２２を挿通する孔２３ａと右側の吊下げボルト２２を挿入する溝２３ｂとが形成されている。支え部材２３の左側の吊下げボルト２２の上方には、円筒状のスペーサ２５、座金２４ａ、ナット２４が取り付けられている。支え部材２３の右側の吊下げボルト２２の上方には、固定金具２９、円筒状のスペーサ２５、座金２４ａ、ナット２４が取り付けられている。すなわち、吊下げボルト２２の支え部材２３とナット２４との間にスペーサ２５が環装されている。
【００２８】
開閉器１が電柱上の腕金１５に取り付けられる際には、本体取付部材２０の前側腕金保持部材２０ｃ、後側腕金保持部材２０ｆの各凹部２０ｄ，２０ｇに腕金１５を位置させ、左側の吊下げボルト２２を中心に支え部材２３を回動させ、支え部材２３の溝２３ｂ内に右側の吊下げボルト２２を挿入し、固定金具２９を支え部材２３に係合させる。そして、両吊下げボルト２２に環装されたスペーサ２５を介してナット２４を締め付けることにより、支え部材２３が開閉器１の本体側へ変位され、吊下げ状態で電柱上の腕金１５に取り付けられる。
【００２９】
図４に二点鎖線で示されるように、収納される際には、支え部材２３は規制片２０ｅに当接されるとともに、スペーサ２５を介してナット２４を締め付けることにより、前側腕金保持部材２０ｃに当接固定されている。なお、両側壁２０ａ、前側腕金保持部材２０ｃ、後側腕金保持部材２０ｆの高さ寸法は、支え部材２３の幅寸法と同一寸法に形成されている。
【００３０】
図１に示されるように、吊部材３２は、本体取付部材２０の両軸受孔２０ｂに吊下げボルト２２を回動可能に軸支する軸部３１と、その右端部に連結される接続部３４と、接続部３４に連結されて吊下げボルト２２の先端面よりも下方に位置する環状の吊部３３とから構成され、単一の棒材が湾曲されることにより一体に形成されている。
【００３１】
具体的には、吊部材３２の軸部３１は、本体取付部材２０の両側壁２０ａの両軸受孔２０ｂに挿通するとともに、両側壁２０ａの内側に両吊下げボルト２２は回動可能に軸支されている。吊部材３２の吊部３３は、両吊下げボルト２２の間隙の中央、且つ支え部材２３の上方に位置している。また、吊部材３２の頂部、すなわち吊部３３の上部は、両吊下げボルト２２の上方先端以下の高さに設定されている。
【００３２】
吊部材３２の接続部３４は、軸部３１の右側端部に連結し、同右側端部から右側の吊下げボルト２２に沿って支え部材２３より上方へ延びる鉛直部３４ａと、鉛直部３４ａの上端から支え部材２３より上部で、且つナット２４より下部の間で左側へ水平に延び、両吊下げボルト２２の中間位置で吊部３３へ連結する水平部３４ｂとから構成されている。接続部３４の鉛直部３４ａは、吊下げボルト２２と接触しないように吊下げボルト２２に対して開閉器１の背面１ｃ側へ傾いている。本体取付部材２０の両側壁２０ａの両軸受孔２０ｂに挿通された軸部３１は、両側壁２０ａの外側にピン等を設けて抜け防止されている。
【００３３】
そして、図４に示されるように、吊部材３２の吊部３３は、先端部が吊下げボルト２２と同一直線上に位置するように吊下げボルト２２に対して開閉器１の正面１ａ側方へ傾いている。図１に示されるように、吊部３３は、操作ハンドル１０（正面１ａ）から見て、吊部３３の円の中心Ｐが開閉器１本体の重心Ｇの鉛直上方に位置している。また、図４に示されるように、ブッシング１１（側面１ｄ）から見て、吊部３３の円の中心Ｐは、開閉器１を水平にした状態において開閉器１の重心Ｇの鉛直上の位置より正面１ａ側に偏移されている。これにより、開閉器１を吊部材３２の吊部３３によって吊り上げると開閉器１本体は背面１ｃ側が正面１ａ側よりも下がった状態、すなわち装柱部材７側に傾斜している。開閉器１の傾斜角度は、０度超えて５度以下が好ましく、最適な角度は３度である。
【００３４】
図３に示されるように、開閉器１本体の背面１ｃには、開閉器１を電柱に取り付ける際に用いる装柱部材７が背面１ｃに沿って配置されている。装柱部材７は、開閉器１本体に固定された２本のボルト７６と２つのナット７７とにより開閉器１本体に固定されている。
【００３５】
図２に示されるように、装柱部材７の装柱部材本体７０は、長方形板材よりなる取付壁７４と、その左右両端部が側方へ折り曲げられた両側壁７１と、両側壁７１から内側へ折り曲げられた両折曲部７１ａとから断面Ｃ字状に形成されている。装柱部材７は、取付壁７４の背面側が開閉器１本体に固定されている。図４に示されるように、装柱部材７の上側端部は、腕金取付部材２の後側腕金保持部材２０ｆの凹部２０ｇの底辺と同じ位置まで延出して形成されている。すなわち、装柱部材７の上側端部は、開閉器１本体の上面１ｂよりも上方へ延出して形成されている。両側壁７１の上側端部の角には両軸孔７２がそれぞれ形成され、両軸孔７２には棒状の掛止部材７３が挿通固定されている。両側壁７１の下側端部には、板状の規制部材７５が架設固定されている。装柱部材７の上側端部の底面と腕金取付部材２の後側腕金保持部材２０ｆの側面とが当接され、ボルト７８とナット７９とにより締付固定されて、腕金取付部材２と装柱部材７とが連結されている。すなわち、装柱部材７と腕金取付部材２とは、開閉器１本体の背面１ｃから上面１ｂに亘りＬ字状の一体構造となっている。
【００３６】
図２に示されるように、電柱取付部材８の両側壁８１は、長方形板材の左右両端部が側方へ折り曲げられた断面コ字状に形成され、その両側壁２０ａには電柱１４の外周に沿って巻装固定するための鎖８３が取り付けされている。
【００３７】
ここで、図４に矢印で示されるように、装柱部材７は、電柱１４に巻装固定された電柱取付部材８に掛止されることにより電柱１４に取り付けられる。詳しくは、電柱取付部材８の側壁８１上部には、装柱部材７の掛止部材７３が掛止される掛止部８２としての凹部が形成されている。電柱取付部材８は、鎖８３を電柱１４の外周に沿って巻装固定される。装柱部材７は、掛止部材７３が上方から電柱取付部材８の掛止部８２に掛止されて、装柱部材７の両側壁７１が電柱取付部材８の両側壁８１を覆うように装着され、図示しない固定具により電柱１４に取り付けられる。
【００３８】
次に、前述のように構成された開閉器１の腕金取付部材２及び装柱部材７との取り付け態様について説明する。
図４に二点鎖線で示されるように、開閉器１の輸送時には、腕金取付部材２は、両側の吊下げボルト２２及び吊部材３２が腕金取付部材２の上面に対して平行となるように軸部３１を回動中心として回動し、収納された状態とされる。この際、吊下げボルト２２に取り付けられている支え部材２３は、腕金取付部材２の規制片２０ｅに当接し、前側腕金保持部材２０ｃよりも外側に位置している。そして、支え部材２３は、両側のナット２４が手で締め付けられることで、スペーサ２５により前側腕金保持部材２０ｃの外側面に押し付けられ固定されている。また、吊部材３２は、支え部材２３の上方に位置して、両側のナット２４が手で締め付けられることにより、軸部３１が両吊下げボルト２２により両軸受孔２０ｂの内面に押し付けられ、固定されている。
【００３９】
開閉器１を電柱１４上の腕金１５若しくは電柱１４に取り付ける際には、両側のナット２４を緩め、吊部材３２と両吊下げボルト２２とが軸部３１に対して回動可能な状態とする。また、固定金具２９を支え部材２３から外すとともに、右側の吊下げボルト２２から支え部材２３の溝２３ｂを外し、支え部材２３を左側の吊下げボルト２２に対して回動可能な状態とする。その後、吊部材３２を開閉器１の背面１ｃ側へ回動させ、吊部材３２を立設させる。そして、クレーン等のフックを吊部材３２の吊部３３に引っ掛け電柱の取り付け位置近傍まで持ち上げる。その際、図１に示されるように、開閉器１の正面１ａ側から見て、開閉器１本体の重心Ｇの鉛直上方に吊部３３の中心Ｐが位置するため、開閉器１が開閉器１の正面１ａに対して垂直方向となるブッシング１１，１２がそれぞれ突設された両側面１ｄ，１ｅの方向、すなわち左右方向に傾くことはない。図４に示されるように、吊部材３２の吊部３３の中心Ｐは、開閉器１を水平にした状態において開閉器１の重心Ｇの鉛直上の位置より正面１ａ側に偏移されているので、開閉器１を吊部材３２の吊部３３によって吊り上げると開閉器１は背面１ｃ側に傾斜した状態となる。すなわち、開閉器１は、装柱部材７側に傾斜した状態となる。
【００４０】
開閉器１を電柱上の腕金１５に取り付ける際には、電柱上の腕金１５まで開閉器１を持ち上げ、腕金１５を本体取付部材２０の凹部２０ｄ，２０ｇに当接させる。そして、右側の吊下げボルト２２を開閉器１の背面１ｃ側へ回動させ、右側の吊下げボルト２２を吊部材３２の水平部３４ｂに当接させ仮置きする。また、左側の吊下げボルト２２を開閉器１の背面１ｃ側へ回動させた後、支え部材２３を回動させ、支え部材２３の溝２３ｂ内に右側の吊下げボルト２２を挿入し、固定金具２９を支え部材２３に係合させる。これにより、本体取付部材２０の凹部２０ｄ，２０ｇと支え部材２３との間に腕金１５を挟み、ナット２４をラチェット工具により締め付けることにより開閉器１が電柱上の腕金１５に取り付けられる。その後、クレーン等のフックを吊部材３２の吊部３３から外し、吊部材３２の吊部３３を開閉器１の背面１ｃ側へ回動し、腕金１５に当接して倒しておく。
【００４１】
電柱に取り付ける際には、鎖８３を電柱の外周に沿って巻装して固定された電柱取付部材８の上方まで開閉器１を移動させる。そして、クレーン等のフックを緩め、開閉器１を下方に移動させ、装柱部材７の両側壁７１を電柱取付部材８の両側壁８１の外面に被せて、装柱部材７の側壁７１の折曲部７１ａ及び電柱取付部材８の両側壁８１で誘導させる。
【００４２】
更に、クレーン等のフックを緩め、規制部材７５に当接させ、装柱部材７の両側壁７１の内側面及び規制部材７５で誘導させながら、電柱取付部材８の掛止部８２としての凹部に、装柱部材７の掛止部材７３を上方から掛止させる。この時、装柱部材７の掛止部材７３を両側壁７１の上側端部に設けるとともに、開閉器１が、装柱部材７側に傾斜しているため、電柱取付部材８の掛止部８２への掛止状況を確認しながら作業することが可能となる。すなわち、掛止部材７３は開閉器１の上部の角に位置させるとともに、開閉器１を装柱部材７側に傾斜させて、掛止部材７３の位置を視認できるようにしたため、取り付け作業が容易となる。そして、更にクレーン等のフックを緩め、開閉器１を下方に移動させ、装柱部材７の規制部材７５を電柱取付部材８の背面に当接させ、装柱部材７を電柱取付部材８に被せた状態で電柱取付部材８の下部にある図示しない固定具にて固定させる。これにより、開閉器１が電柱に取り付けられる。その後、クレーン等のフックを吊部材３２の吊部３３から外し、吊部材３２を開閉器１の背面１ｃ側へ回動し、腕金１５に当接して倒しておく。
【００４３】
このように、装柱部材７の上端部を腕金取付部材２に連結固定することにより、装柱部材７を用いて開閉器１を電柱に取り付けた際に掛かる荷重を装柱部材７だけでなく、腕金取付部材２にも分担することができ、開閉器１の背面１ｃ側部分や装柱部材７に掛かる荷重を減らすことができる。これにより、開閉器１の板厚や装柱部材７自体の肉厚を薄くすることができるため、開閉器１の重量を減らすことができ、ひいては開閉器１を軽量化することができる。
【００４４】
以上、説明した実施形態によれば、以下の作用効果を奏することができる。
（１）腕金取付部材２の後側腕金保持部材２０ｆと、装柱部材７の上面側端部とが連結された一体構造であるため、電柱に開閉器１を取り付ける場合に開閉器１の背面１ｃと上面１ｂとの二箇所で開閉器１を支持することができる。このため、装柱部材７が開閉器１の背面１ｃのみ、又は背面１ｃと上面１ｂにおける背面１ｃ側の一部とで開閉器１を支持することと比較して、開閉器１の背面１ｃ部分や装柱部材７に掛かる荷重を抑制することができ、開閉器１の板厚や装柱部材７の肉厚を薄くすることができる。その結果、開閉器１自体や装柱部材７の重量を軽くすることができ、ひいては開閉器１全体を軽量化することができる。
【００４５】
（２）装柱部材７と開閉器１本体の背面１ｃとの固定箇所としてのボルトを少なくすることができる。これにより、ボルト及びボルト固定のための受け側を開閉器１に形成しなくてもよくなるため、開閉器１を軽量化することができる。
【００４６】
（３）装柱部材７の上側端部が開閉器１本体の上面１ｂよりも上方へ延出するようにしたため、開閉器１を電柱に取り付けた際に、電柱と装柱部材７との接触面積が従来の開閉器よりも増えるため、従来の開閉器よりも取り付けた際に安定させることができる。
【００４７】
（４）腕金取付部材２の背面側端部は、開閉器１本体の背面１ｃ側へ延出するようにしたため、開閉器１を腕金１５に取り付けた際に、開閉器１と腕金１５との接触面積が従来の開閉器１よりも増えるため、従来の開閉器１よりも取り付けた際に安定させることができる。
【００４８】
（５）装柱部材７の上側端部が開閉器１本体の上面１ｂよりも上方へ延出するとともに、腕金取付部材２の背面側端部は、開閉器１本体の背面１ｃ側へ延出し、装柱部材７の上方において腕金取付部材２と装柱部材７とが連結するようにしたため、電柱に開閉器１を取り付ける場合に装柱部材７が開閉器１本体に隠れず、目視することができる。このため、取り付け作業時等に開閉器１の電柱への取り付け状態を確認することができる。更には、装柱部材７を用いて開閉器１を電柱に取り付けた際に掛かる荷重を装柱部材７だけでなく、腕金取付部材２にも分担することができ、開閉器１の背面１ｃ部分や装柱部材７に掛かる荷重を減らすことができる。
【００４９】
（６）装柱部材７の掛止部材７３を両側壁７１の上側端部の角に挿通固定した。このため、電柱に開閉器１を取り付ける場合、すなわち、装柱部材７を電柱取付部材８に取り付ける場合に掛止部材７３が電柱側に最も近い状態となり、装柱部材７の掛止部材７３が開閉器１本体に隠れず、電柱取付部材８の掛止部８２への掛止状況を確認しながら作業することができ、取り付け作業時等に開閉器１の電柱への取り付けが容易となる。また、電柱取付部材８の掛止部８２としての凹部に掛止部材７３を掛止すると開閉器１本体の自重により装柱部材７の下側が電柱取付部材に当接し、開閉器１が安定して電柱に装着される。
【００５０】
（７）吊部材３２の吊部３３の中心Ｐを開閉器１の重心Ｇより正面１ａ側に偏移させ、開閉器１本体の背面１ｃ側が正面１ａ側よりも下がった状態、すなわち装柱部材７側に傾斜するようにした。このため、電柱に開閉器１を取り付ける場合、すなわち、装柱部材７を電柱取付部材８に取り付ける場合に掛止部材７３が電柱側に最も近い状態となり、電柱に取り付けられた電柱取付部材８の掛止部８２に容易に取り付けられる。また、装柱部材７の掛止部材７３を電柱取付部材８の掛止部８２への掛止状況を確認しながら作業することができるため、取り付け作業時に開閉器１の電柱への取り付けが容易になる。また、開閉器１を装柱部材７側に傾斜するようにしたため、装柱部材７の掛止部材７３を電柱取付部材８の掛止部８２へ掛止した際、装柱部材７及び電柱取付部材８の下端部は当接しない。よって、装柱部材７の掛止部材７３を電柱取付部材８の掛止部８２へ掛止した時、装柱部材７、電柱取付部材８、及び開閉器１を損傷することがない。開閉器１の傾斜角度は、０度を超えて５度以下が好ましく、最適な角度は３度である。傾斜角度が０度の場合、すなわち吊部材３２の吊部３３の中心Ｐが開閉器１の重心Ｇの鉛直上方に位置する場合では、開閉器１を水平に安定して吊下げることができるが、電柱に固定された電柱取付部材８に取り付ける際には、掛止状況を確認しながら作業することが困難となる。また、装柱部材７、電柱取付部材８、開閉器１を傷つける虞がある。傾斜角度が５度を超える場合、開閉器１の傾斜が大き過ぎ不安定となるうえ、電柱上の腕金１５に取り付ける際には、取り付け作業が煩雑となる。
【００５１】
（８）吊部材３２の吊部３３の中心Ｐが、開閉器１の正面１ａ側から見て、開閉器１の重心Ｇの鉛直上方に位置するため、開閉器１の左右方向、すなわち開閉器１の正面１ａに対して垂直方向となるブッシング１１，１２がそれぞれ突設された両側面１ｄ，１ｅ方向に傾くことを抑制することができ、安定して吊下げることができる。よって、開閉器１を容易に取り付けることができる。
【００５２】
（９）吊部材３２は軸部３１、接続部３４、及び吊部３３が一体に形成されてなるようにしたため、吊部と軸部とを別部材で設ける必要がない。よって、部品点数を少なくすることができ、安価にすることができる。
【００５３】
（１０）腕金取付部材２の両側壁２０ａの両軸受孔２０ｂに挿通するとともに、２本の吊下げボルト２２は回動可能に吊部材３２の軸部３１で取り付けるようにした。これにより、部品点数を削減できるので、安価にでき、軽量化することもできる。また、吊部材３２は軸部３１により起伏可能に軸支されるため、使用しない際には倒しておくことができ、小型化することができる。
【００５４】
（１１）右側の吊下げボルト２２の支え部材２３とナット２４との間に環装されるスペーサ２５により、ナット２４の取り付け位置が吊部材３２の接続部３４より上方に位置するため、開閉器１を電柱の腕金１５に取り付ける時のナット２４を締め付ける際にラチェット工具が吊部材３２の接続部３４に接触することを防止することができる。
【００５５】
（１２）電柱に取り付ける際には、鎖８３を電柱の外周に沿って巻装して固定された電柱取付部材８の両側壁８１の外面に装柱部材７の両側壁７１を被せて、装柱部材７を電柱取付部材８の両側壁８１及び装柱部材７の規制部材７５で誘導させながら電柱取付部材８の掛止部８２としての凹部に、装柱部材７の掛止部材７３を上方から掛止させるようにした。このため、電柱への取り付け作業時等に開閉器１は左右方向、電柱方向に揺れることがなくなり安定するので安全に作業することができる。また、開閉器１を傷つけることなく取り付けできる。更には、装柱部材７の掛止部材７３の電柱取付部材８の掛止部８２への掛止が容易にできる。よって、取り付け作業時等に開閉器１の電柱への取り付けが容易になる。そして、装柱部材７の規制部材７５を電柱取付部材８の背面に当接させ、装柱部材７を電柱取付部材８に被せた状態で固定具にて固定させるようにした。このため、上下、前後、左右の各方向の移動が規制されるので、確実に固定することができる。
【００５６】
なお、上記実施形態は、これを適宜変更した以下の形態にて実施することができる。
・上記実施形態では、装柱部材７の上端を腕金取付部材２の後側腕金保持部材２０ｆの凹部２０ｇの底辺と同じ位置まで延出させ、装柱部材７の上側端部の底面と腕金取付部材２の後側腕金保持部材２０ｆとを締付固定し、腕金取付部材２と装柱部材７とを連結するようにした。しかしながら、腕金取付部材２の開閉器１の背面側端部を装柱部材７の上方まで延出させ、腕金取付部材２と装柱部材７とを連結するようにしてもよい。
【００５７】
・上記実施形態では、腕金取付部材２の前端の前側腕金保持部材２０ｃに凹部２０ｄ、後端の後側腕金保持部材２０ｆに凹部２０ｇを形成した。しかしながら、いずれか一方の腕金保持部材に凹部を形成するようにしてもよい。
【００５８】
・上記実施形態では、開閉器に具体化したが、遮断器等の配電機器に適宜変更可能である。
【図面の簡単な説明】
【００５９】
【図１】開閉器の正面図。
【図２】開閉器の上面図。
【図３】開閉器の背面図。
【図４】開閉器の側面図。
【符号の説明】
【００６０】
１…開閉器、１ａ…正面、１ｂ…上面、１ｃ…背面、１ｄ，１ｅ…側面、２…腕金取付部材、７…装柱部材、８…電柱取付部材、１０…操作ハンドル、１１，１２…ブッシング、１４…電柱、１５…腕金、２０…本体取付部材、２０ａ…側壁、２０ｂ…軸受孔、２０ｃ…前側腕金保持部材、２０ｄ…凹部、２０ｅ…規制片、２０ｆ…後側腕金保持部材、２０ｇ…凹部、２２…吊下げボルト、２３…支え部材、２３ａ…孔、２３ｂ…溝、２４…ナット、２４ａ…座金、２５…スペーサ、２７…ボルト、２８…ナット、２９…固定金具、３１…軸部、３２…吊部材、３３…吊部、３４…接続部、３４ａ…鉛直部、３４ｂ…水平部、７０…装柱部材本体、７１…側壁、７１ａ…折曲部、７２…軸孔、７３…掛止部材、７４…取付壁、７５…規制部材、７６…ボルト、７７…ナット、７８…ボルト、７９…ナット、８１…側壁、８２…掛止部、８３…鎖、Ｇ…重心、Ｐ…中心。
【図１】
2009112118.tif 000003
【図２】
2009112118.tif 000004
【図３】
2009112118.tif 000005
【図４】
2009112118.tif 000006